(57)【要約】【課題】  一枚の広告用紙を左右から折り、はがき本体と秘匿したい箇所を秘匿することが出来る秘匿シール部とを有する返信用はがき付き広告用印刷物を提供すること。【解決手段】一枚の用紙（１）の一方側を折り重ね、さらに、一方側とは反対側の他方側も折り重ねるようになっていること，  当該一方側が広告部（２，２’）を形成し、他方側の上部がはがき本体（３，３’）を形成し、下部が秘匿シール部（４，４’）を形成すること、からなる。【選択図】  図１
2006175722.tif 000002
【特許請求の範囲】
【請求項１】
一枚の用紙（１）の一方側を折り重ね、さらに、一方側とは反対側の他方側も折り重ねるようになっていること，
当該一方側が広告部（２，２’）を形成し、他方側の上部がはがき本体（３，３’）を形成し、下部が秘匿シール部（４，４’）を形成すること，
からなることを特徴とする秘匿シール部を有する返信用はがき付き広告用印刷物。
【請求項２】
前記広告部の一方（２）又は他方側（２’）の裏面の上（６）、及び下（６’）の所定の箇所に剥離可能な接着剤が塗布されていること，
前記はがき本体の一方側（３）を他方側（３’）に、及び秘匿シール部の一方側（４）を他方側（４’）に折る場合の基準となる折り線（７）が設けられ、当該折り線（７）がミシン目になっていること，
当該はがき本体の一方（３）又は他方側（３’）の裏面に接着剤が塗布されていること，
当該秘匿シール部の他方側（４’）の裏面に剥離可能な接着剤が塗布されていること，
当該はがき本体の一方側（３）及び秘匿シール部の一方側（４）の所定の箇所にミシン目（９）が入っていること，並びに当該はがき本体の他方側（３’）及び秘匿シール部の他方側（４’）の所定の箇所にミシン目（９’）が入っていること，
当該秘匿シール部の一方側（４）の表面の上部の縁（８）および一方側の縁（８’）に切り込みが入っていること，
からなることを特徴とする請求項１記載の秘匿シール部を有する返信用はがき付き広告用印刷物。
【発明の詳細な説明】
【技術分野】
【０００１】
本発明は、秘匿シール部を有する返信用はがき付き広告用印刷物に関する。
【背景技術】
【０００２】
従来、広告用印刷物にはがきが設けられている場合、はがきは大きさと厚さが定められているので、一定の大きさ、特に厚さの基準に合致するため広告用印刷物も必然的にはがきと同一の厚みをもったものを使用していた。厚みをつけるためには厚紙を使用したり、薄い紙を２枚重ねること等をしなければならず費用が嵩み採算が合わないという問題点があった。
【０００３】
この問題を解決するために一枚の広告用紙を左右から折り、一方側に切り取り可能にはがきを設けることでこの問題を解決した技術がある（例えば、特許文献１参照。）。
【０００４】
【特許文献１】実用新案登録第３０９６９１０号（［０００５］，［０００６］）
【発明の開示】
【発明が解決しようとする課題】
【０００５】
しかし、前記特許文献１には、はがきの発信者が秘匿したいと思われる住所、氏名、年令、性別等を秘匿することが出来ないという問題点があった。
【０００６】
そこで、本発明は、一枚の広告用紙を左右から折り、はがき本体と秘匿したい箇所を秘匿することが出来る秘匿シール部とを有する返信用はがき付き広告用印刷物を提供することを目的とする。
【課題を解決するための手段】
【０００７】
前記目的を達成するため、本発明の秘匿シール部を有する返信用はがき付き広告用印刷物は、
一枚の用紙の一方側を折り重ね、さらに、一方側とは反対側の他方側を折り重ねること，
当該一方側が広告部を形成し、他方側の上部がはがき本体を形成し、下部が秘匿シール部を形成すること，からなる。
【０００８】
又、前記広告部の一方又は他方側の裏面の上、及び下の所定の箇所に剥離可能な接着剤が塗布されていること，
前記はがき本体の一方側を他方側に、及び秘匿シール部の一方側を他方側に折る場合の基準となる折り線が設けられ、当該折り線がミシン目になっていること，
当該はがき本体の一方又は他方側の裏面に接着剤が塗布されていること，
当該秘匿シール部の他方側の裏面に剥離可能な接着剤が塗布されていること，
当該はがき本体の一方側及び秘匿シール部の一方側の所定の箇所にミシン目が入っていること，並びに当該はがき本体の他方側及び秘匿シール部の他方側の所定の箇所にミシン目が入っていること，
当該秘匿シール部の一方側の表面の上部の縁および一方側の縁に切り込みが入っていることが好適である。
【発明の効果】
【０００９】
本発明は以上の構成を有するので、費用も嵩まず、又はがき本体、秘匿シール部と広告部との厚みが同じなので段差が出来ず、広告用印刷物を積み重ねた場合、波をうったような状態にならず、即ち変形せず、広告用印刷物としての商品価値を下げることがない。
又、本発明は広告用印刷物だけでなく、ある機関、組合、団体等がその構成員にアンケート等何らかの回答を要求する返信用はがき付き印刷物にも使用出来るものである。
【発明を実施するための最良の形態】
【００１０】
以下、本発明の実施の形態の一例を図面に基づいて説明する。
【００１１】
図１は秘匿シール部を有する返信用はがき付き広告用印刷物を展開した状態を示す図である。
【００１２】
一枚の用紙１の一方側、本図面では左側の表面、裏面ともに広告、アンケート等の必要な事項が記載、掲載されている広告部２，２’であり、広告部の左側面２を折り線１０を基準にして広告部の右側面２’に向かって折る。
【００１３】
広告部の左側面の内側の面の上６、及び下６’に剥離可能な接着剤が塗布されていれば良いが、一方側６”、即ち左側にも剥離可能な接着剤が塗布されていても良い。この場合、左の下隅の角１１は剥離可能な接着剤等、何の接着剤も塗布されていない。広告部２，２’は表面も裏面も広告、アンケート等の必要な事項が記載されているため左側面２が右側面２’と剥離可能に接着した場合、開きやすくするためである。
なお、広告等の記載は広告部２，２’に限らずその他の余白に記載しても良い。
【００１４】
又、折り線１０を基準にして広告部２，２’を折り重ねた場合、折り線１０の箇所は、本に綴じた場合、背部に該当することになる。
【００１５】
一枚の用紙の他方側、本図面では右側の上部は、はがき本体３，３’を形成し、下部は、秘匿シール部４，４’を形成している。
【００１６】
はがき本体の一方側、本図面では右側３及び秘匿シール部の一方側、本図面では右側４をはがき本体の左側３’及び秘匿シール部の左側４’に折る場合の基準となる折り線７にはミシン目が入っている。
秘匿シール部の右側（上側）４を左側（下側）４’から切り離すためである。
【００１７】
はがき本体の右側３の裏面には接着剤が塗布され、秘匿シール部の左側４’の裏面には剥離可能な接着剤が塗布されている。
【００１８】
はがき本体の右側３の縁及び秘匿シール部の右側４の縁には縦に一直線にミシン目９が入っており、はがき本体の左側３’の縁及び秘匿シール部の左側４’の縁にも、折り線７を基準にして折った場合に、ミシン目９と重なる位置にミシン目９’が設けられている。
【００１９】
図２は秘匿シール部を有する返信用はがき付き広告用印刷物を左、右から折り重ねようとする状態を示した図である。
広告部の左側２から右側２’に、折り線１０を基準に折り重ねた場合、広告部の左側２と右側２’は剥離可能に接着する。
はがき本体３及び秘匿シール部４をはがき本体３’及び秘匿シール部４’の方へ、ミシン目７を基準に折り重ねた場合、はがき本体３とはがき本体３’は接着し、秘匿シール部４と秘匿シール部４’は剥離可能に接着する。
【００２０】
はがき部の右側３の表面は、本図面では、送信先の住所、名称、担当の係等を記載するようになっており、かつ発信先の情報、即ち、住所、氏名、年令、性別、アンケート等の内容等を記載するようになっている。
しかし、はがき部の左側３’の表面に送信先の住所、名称、担当の係等を記載し、はがき部の右側３の表面に発信先の情報、即ち、住所、氏名、年令、性別、アンケート等の内容等を記載しても良い。
【００２１】
秘匿シール部の右側４の表面の上部の縁８及び一方側、即ち、本図面においては左側８’に切り込みが入っている。
【００２２】
図３は秘匿シール部を有する返信用はがき付き広告用印刷物が貼着された状態を示している。
広告部の右側２は剥離可能に広告部の左側２’とは剥離可能に接着しており、はがき本体の右側３とはがき本体の左側３’は接着剤で接着され、はがき本体を形成し、秘匿シール部の右側４と秘匿シール部の左側４’は剥離可能に接着し、秘匿シール部を形成している。
【００２３】
図４は、はがき本体及び秘匿シール部を広告部からミシン目に沿って切り離した状態を示している。
ミシン目９とミシン目９’はピッタリ重合し、貼着しており、このミシン目９，９’に沿ってはがき本体３，３’及び秘匿シール部４，４’を広告部２，２’から切り離す。
【００２４】
秘匿シール部の右側４と秘匿シール部の左側４’とが剥離可能に接着してあるが秘匿シール部を剥がすことが出来るように、上部の縁８及び左側８’に切り込みが入っており、かつ右側はミシン目７（図１，図２参照）が入っている。
【００２５】
図５は秘匿シール部の上側を下側から剥がす状態を示している。
上側（右側）４の裏面はインク処理が施されており、そのため、上側４を下側（左側）４’から容易に剥がすことが出来る。
【００２６】
図６は、はがき本体３，３’と秘匿シール部４，４’の境目５を基準にして秘匿シール部４，４’をはがき本体３，３’の方へ折って、はがき本体の秘匿したい箇所に重ね合わせようとする状態を示している。  
境目５を基準にして、下側４’をはがき本体３の表面の方へ折り曲げれば良い。
【００２７】
図７は秘匿シール部の下側をはがき本体の秘匿したい箇所に剥離可能に接着した状態を示している。
剥離可能に接着してあるのではがきを受け取った担当者は容易に秘匿シール部を剥がすことが出来る。
【図面の簡単な説明】
【００２８】
【図１】秘匿シール部を有する返信用はがき付き広告用印刷物を展開した状態を示す図である。
【図２】秘匿シール部を有する返信用はがき付き広告用印刷物を左、右から折り重ねようとする状態を示す図である。
【図３】秘匿シール部を有する返信用はがき付き広告用印刷物が貼着された状態を示す図である。
【図４】はがき本体及び秘匿シール部を広告部からミシン目に沿って切り離した状態を示す図である。
【図５】秘匿シール部の上側を下側から剥がす状態を示す図である。
【図６】はがき本体と秘匿シール部の境目を基準にして秘匿シール部をはがき本体の方へ折って、はがき本体の秘匿したい箇所に重ね合わせようとする状態を示す図である。
【図７】秘匿シール部の下側をはがき本体の秘匿したい箇所に剥離可能に接着した状態を示す図である。
【符号の説明】
【００２９】
１        用紙
２，２’  広告部
３，３’  はがき本体
４，４’  秘匿シール部
５        境目
６        上
６’      下
６”      一方側
７        折り線
８，８’  切り込み
９，９’  ミシン目
１０      折り線
１１      角
【図１】
2006175722.tif 000003
【図２】
2006175722.tif 000004
【図３】
2006175722.tif 000005
【図４】
2006175722.tif 000006
【図５】
2006175722.tif 000007
【図６】
2006175722.tif 000008
【図７】
2006175722.tif 000009